(57)【要約】      （修正有）【課題】経時的に着色することが無く、揮発性の点でも、潤滑油を取り扱う作業者に対しても、健康上の被害を及ぼす可能性が実質的にない、実質的に揮発性を有しない添加剤を含む安定化された潤滑油の提供。【解決手段】下記式（ａ）又は（ｂ）2007161996.tif 000008で表されるヒドラジン誘導体を所定量潤滑油に添加する。【選択図】なし【特許請求の範囲】
【請求項１】
下記式（ａ）又は（ｂ）
【化１】
2007161996.tif 000007
（式（ａ）又は（ｂ）中のＣ（Ｏ）ＮＨＸで表される置換基は、ＯＨ基に対して、式（ａ）中のフェニル環又は式（ｂ）中のナフチル環上のオルト位又はパラ位に結合しており、当該Ｃ（Ｏ）ＮＨＸで表される置換基中のＸは、−ＮＨ（Ｒ1）又は−Ｎ＝ＣＲ2Ｒ3を示し、Ｒ1、Ｒ2、及びＲ3は共にＨ又は炭素数１〜６の分岐していても良い飽和アルキル基をそれぞれ示す。）
で表されるヒドラジン誘導体で安定化された潤滑油。
【請求項２】
ヒドラジン誘導体がＮ’−（１−メチルエチリデン）−３−ヒドロキシ−２−ナフトエ酸ヒドラジド、Ｎ’−（１−メチルエチル）−３−ヒドロキシ−２−ナフトエ酸ヒドラジド、Ｎ’−（１−ブチルエチリデン）−３−ヒドロキシ−２−ナフトエ酸ヒドラジド、Ｎ’−（１−ブチルエチル）−３−ヒドロキシ−２−ナフトエ酸ヒドラジド、Ｎ’−サリチル酸ヒドラジド、Ｎ’−（１−メチルエチリデン）サリチル酸ヒドラジド、及びＮ’−（１−メチルエチル）サリチル酸ヒドラジドからなる群から選ばれた少なくとも１種である請求項１記載の潤滑油。
【発明の詳細な説明】
【技術分野】
【０００１】
本発明は、安定化された潤滑油に関する。更に詳しくは、ヒドラジン誘導体で安定化された潤滑油に関する。
【背景技術】
【０００２】
従来、潤滑油の安定剤としては、ジクミルジフェニルアミン等のアミン系酸化防止剤、ＢＨＴ等のフェノール系酸化防止剤、あるいはこれらの併用系などが用いられてきた。しかしアミン系酸化防止剤の場合には、時間の経過と共に、着色がおこるという欠点があり、このような着色化した潤滑油の使用が好まれない用途への使用には、適さないという問題がある。また、ＢＨＴについては、それ自体が揮発性であるという欠点があり、高熱条件下で使用すると、揮発して失われてしまい、意図した効果が発揮されなかったり、あるいは、揮発により作業環境中に潤滑油放出されたＢＨＴの蒸気が、人体に取り込まれ、健康に影響を与える可能性が少なくなかったりと言うという懸念が出てきている。
【０００３】
ところで、ある種のヒドラジン誘導体をゴム組成物に使用する提案が、例えば特許文献１や特許文献２になされているが、潤滑油に添加して、酸化を防止しようとする試みは、これらの文献には、教示も開示もされていない。
【特許文献１】特開平１１−２２８７３７号公報
【特許文献２】特開平１１−２２８７３８号公報
【発明の開示】
【発明が解決しようとする課題】
【０００４】
本発明の目的は、経時的に着色することが無く、揮発性の点でも、潤滑油を取り扱う作業者に対しても、健康上の被害を及ぼす可能性が実質的にない、揮発性を有しない添加剤を含む安定化された潤滑油を提供することにある。
【課題を解決するための手段】
【０００５】
本発明者らは鋭意研究を重ねた結果、特定のヒドラジン誘導体を潤滑油の酸化防止に使用することにより、上記の目的と達成できることを見出し、本発明を完成させたものである。
【０００６】
すなわち、本発明は、潤滑油の酸化防止などを目的として、下記式（ａ）又は（ｂ）
【化１】
2007161996.tif 000002
（式（ａ）又は（ｂ）中のＣ（Ｏ）ＮＨＸで表される置換基は、ＯＨ基に対して、式（ａ）中のフェニル環又は式（ｂ）中のナフチル環上のオルト位又はパラ位に結合しており、当該Ｃ（Ｏ）ＮＨＸで表される置換基中のＸは、−ＮＨ（Ｒ1）又は−Ｎ＝ＣＲ2Ｒ3を示し、Ｒ1、Ｒ2、及びＲ3は共にＨ又は炭素数１〜６の分岐していても良い飽和アルキル基をそれぞれ示す。）で表されるヒドラジン誘導体を所定量潤滑油に添加することにより、安定化された潤滑油が提供しようとするものである。
【０００７】
特に、上記式（ａ）又は（ｂ）において揮発性が少なく、少量の添加で、ＢＨＴと同等の安定化効果を有する潤滑油組成物が、上記式（ａ）又は（ｂ）において、Ｘが、−ＮＨＲ1又は−Ｎ＝ＣＲ2Ｒ3で表され、そして、Ｒ1、Ｒ2、Ｒ3の何れも、Ｈ又は炭素数１〜６の分岐していても良い飽和アルキル基であるサリチル酸ヒドラジド又はその誘導体、及びＮ’−置換−３−ヒドロキシ−２−ナフトエ酸ヒドラジン又はその誘導体が好適に使用される。特に、Ｒ1は、Ｈ又は炭素数１〜６の分岐していても良い飽和アルキル基を、Ｒ2、Ｒ3は、何れか一方がメチル基で、他方が炭素数１〜４の分岐していても良い飽和アルキル基であるものが好ましい。なお、以下において、３−ＯＨフェニル基を式（ａ）中の基本骨格と称し、３−ＯＨナフチル基を（ｂ）中の基本骨格と称することがある。
【０００８】
中でも、Ｎ’−（１−メチルエチリデン）−３−ヒドロキシ−２−ナフトエ酸ヒドラジド、Ｎ’−（１−メチルエチル）−３−ヒドロキシ−２−ナフトエ酸ヒドラジド、Ｎ’−（１−ブチルエチリデン）−３−ヒドロキシ−２−ナフトエ酸ヒドラジド、Ｎ’−（１−ブチルエチル）−３−ヒドロキシ−２−ナフトエ酸ヒドラジド、Ｎ’−サリチル酸ヒドラジド、Ｎ’−（１−メチルエチリデン）サリチル酸ヒドラジド、及びＮ’−（１−メチルエチル）サリチル酸ヒドラジド等が好適に使用される。更に、これらの中でも、Ｎ’−（１−メチルエチリデン）−３−ヒドロキシ−２−ナフトエ酸ヒドラジド、Ｎ’−（１−メチルエチル）−３−ヒドロキシ−２−ナフトエ酸ヒドラジド、Ｎ’−（１−ブチルエチリデン）−３−ヒドロキシ−２−ナフトエ酸ヒドラジド、及びＮ’−（１−ブチルエチル）−３−ヒドロキシ−２−ナフトエ酸ヒドラジドが、特に好適に使用される。勿論、これらは単独でも、或いは、混合して使用しても良い。
【０００９】
上記式（ａ）又は（ｂ）で示されるヒドラジン誘導体は、アミン系酸化防止剤と併用して使用しても、所望とする効果を発揮し、上記のような要求に沿う潤滑油を提供することができる。潤滑油への添加量は、質量％で、０．００１％〜１％で十分であり、好ましくは、０．０１％〜０．５％程度である。
【発明の効果】
【００１０】
本発明に係るヒドラジン誘導体を含む潤滑油組成物は、耐酸化性に優れ、従って、経時的に着色することもなく、又、添加されたヒドラジン誘導体の揮発性が極めて少ないか、実質的にないことから、作業環境への実質的な放出も懸念されない点で、優れた効果を示す潤滑油組成物である。また、経時変化又は熱による着色を起こしにくいことから、着色化した潤滑油の使用が好まれない用途での使用に好適な潤滑油組成物である。
【発明を実施するための最良の形態】
【００１１】
本発明に係るヒドラジン誘導体が添加可能な潤滑油としては、鉱油や合成油が含まれる。鉱油としては、原油を精製して得られる一般的な鉱油であればよく、例えば、６０ニュートラル油、１００ニュートラル油、１５０ニュートラル油等が挙げられるが、特にこれらに限定されるものではない。合成油としては、炭化水素系油、エステル油、及びその他の合成油等が挙げられるが、特にこれらに限定されるものではない。また、鉱油と合成油を混合して使用しても差し支えない。
【実施例】
【００１２】
以下、本発明を実施例及び比較例に基づいてより詳細に説明するが、本発明はこれらの実施例に限定されるものではない。
【００１３】
本発明に係るヒドラジン誘導体の内、Ｘが−Ｎ＝ＣＲ2Ｒ3であるものは、サリチル酸ヒドラジド又は３−ヒドロキシナフトエ酸ヒドラジドを原料として、アセトン又はメチルエチルケトンを反応させて製造することが出来、又、Ｘが−ＮＨＲ1であるものは、上記の反応生成物を更に水素添加反応させることにより製造することできる。以下に、代表的な化合物の製造例を挙げる。しかし、本願のヒドラジン誘導体は、下記以外に方法でも製造可能であることは言うまでもない。
【００１４】
（製造例１）
Ｎ’−（１−メチルエチリデン）サリチル酸ヒドラジドの合成
水分離機、還流冷却機および攪拌機を備えた反応器にサリチル酸ヒドラジド３０．４ｇ（０．２ｍｏｌ）、アセトン２３２．３ｇ（４ｍｏｌ）を仕込み、加温することで還流脱水を行いながら３時間反応した。反応終了後、反応液を２５℃まで冷却し、析出結晶をろ別した。得られた結晶を減圧乾燥して白色結晶として生成物を得た（収量：３７．７ｇ、収率：９８．０％）。
【００１５】
（製造例２）
Ｎ’−（１−メチルエチリデン）−３−ヒドロキシ−２−ナフトエ酸ヒドラジドの合成
原料に３−ヒドロキシ−２−ナフトエ酸ヒドラジドを用いたこと以外は、製造例１と同様の操作を行った。こうして白色結晶として生成物を得た（収量：４７．３ｇ、収率：９７．６％）。
【００１６】
（製造例３）
Ｎ−サリチル酸−Ｎ’−（１−メチルエチル）ヒドラジドの合成
水分離機、還流冷却機および攪拌機を備えた反応器にサリチル酸ヒドラジド３０．４ｇ（０．２ｍｏｌ）、アセトン２３２．３ｇ（４ｍｏｌ）を仕込み、加温することで還流脱水を行いながら３時間反応した。反応終了後、反応液を２５℃まで冷却し、析出結晶をろ別した。得られた結晶を減圧乾燥して白色結晶として中間体を得た。得られた中間体およびイソプロピルアルコール１４５．０ｇ、３％Ｐｔ／Ｃ  ３．０ｇをオートクレーブに仕込み、水素圧１．５ＭＰａ、反応温度１００℃にて５時間反応した。反応終了後、ろ過により触媒を除去した後、溶媒を２０℃まで冷却し析出結晶をろ別した。得られた結晶を減圧乾燥して白色結晶として生成物を得た（収量：３２．７ｇ、収率：８４．３％）。
【００１７】
（製造例４）
４−４．Ｎ−（３−ヒドロキシ−２−ナフトエ酸）−Ｎ’−（１−メチルエチル）ヒドラジドの合成
原料に３−ヒドロキシ−２−ナフトエ酸ヒドラジドを用いたこと以外は、製造例と同様の操作を行った。こうして白色結晶として生成物を得た（収量：２４．４ｇ、収率：５０．０％）。
【００１８】
酸化防止効果試験
本発明に係るヒドラジン誘導体の酸化防止効果についての試験を実施した。即ち、以下の表１に示す本発明に係るヒドラジン誘導体の代表的な化合物９個と、比較例として、ＢＨＴ、ステアラーＳＴＡＲ（精工化学製）及びジクミルジフェニルアミンを使用して、潤滑油の安定性試験を実施した。即ち、以下の表１に示された本発明に係るヒドラジン誘導体０．２質量％又は比較例として使用した各物質０．２質量％と、１５０ニュートラル油９９．８質量％又は１５０ニュートラル油９９．８質量％からなる潤滑油組成物を、ＪＩＳ  Ｋ２５１４  回転ボンベ式酸化安定度試験（ＲＢＯＴ）に供し、得られた酸素吸収誘導時間の結果を表２に示した。酸素吸収誘導時間は、酸化安定性の尺度として測定され、その時間が長ければ長いほど酸化安定性が良いことを示す。なお、対照として、１５０ニュートラル油のみからなるものも試験に供した。
【００１９】
【表１】
2007161996.tif 000003
【００２０】
【表２】
2007161996.tif 000004
註：＊：表１に示した化合物番号を示す。
【００２１】
上記の結果から明らかなように、本発明に係るヒドラジン誘導体は、大部分が比較例として使用した物質の効果より優れており、特に、ＢＨＴと比較して、その量の３分の１以下で大部分のものが優れた効果を示すことが示唆された。また、この試験では、比較例として使用した物質の内、最も効果の高かったＢＨＴと比較して劣る効果を示したものでも、量を増加すれば、十分に同等程度の効果を示すことが予測される。
【００２２】
そこで、上記のヒドラジン誘導体の内、化合物６と８と９の３種の誘導体の揮発性試験を実施した。試験は、上記３種の誘導体とＢＨＴを使用し、それぞれ２ｇずつ精秤した各化合物を直径３０ｍｍの秤量瓶に入れ、１２０℃の恒温槽中で所定の時間で保持し、各時間経過後に取り出し、放冷した後秤量し、残存率を求めた。その結果は、以下の表３通りである。
【００２３】
【表３】
2007161996.tif 000005
【００２４】
上記の結果から明らかなように、本発明に係るヒドラジン化合物は、極めて揮発性が低く、作業環境への放出は、実質的にないといえる。
【００２５】
色相安定性試験
本発明のヒドラジン誘導体について色相安定性試験を実施した。潤滑油の使用にあたって発生してくる着色は、多くの場合これに加えている添加剤の着色に起因するものであると考えられている。ゆえに、経時変化又は熱による着色を起こしにくい添加剤を使用すれば、着色することが少ない潤滑油を得ることができるといえる。添加剤の経時的あるいは加熱による着色を見る促進試験としてＮＯｘ試験がある。そこで、ＮＯｘ試験を実施した。この試験の結果、着色が起こる度合いが低ければ、実際の使用時のヒドラジン誘導体の色相安定性も高いといえ、これらを添加して製造した潤滑油の色相が安定であるといえる。
【００２６】
以下のような手順でＮＯｘ試験を行った。
先ず、所定のサンプル５ｇをスクリュー管に測り取り、ＤＭＡｃ１５ｇを加え、溶解させる。次いで、完全に溶解させたサンプル液をバイアルびんに１０ｇ測り取り、ゴムキャップ、アルミホルダーを使用して密栓する。ＪＩＳ  Ｌ０８５５（酸化窒素ガスに対する染色堅ろう度試験方法）に準じる酸化窒素ガス発生装置で発生させたＮＯｘガスを、シリンジを使って２ｍｌとり、サンプル液を入れたバイアルびんに注入し、よく振ってＮＯｘガスとサンプル液を混ぜる。このものを、室温にて１時間放置後、ガードナー比色計で標準液と比較し、色数を求める。これをＮＯｘ処理前のサンプルのガードナー数と比較し、変化量Δを求める。結果を表４に示す。
【００２７】
【表４】
2007161996.tif 000006
【００２８】
以上の結果から本発明に係るヒドラジン化合物、特に２，４，５，７，９は潤滑油に添加し、使用した際の着色がＢＨＴと同等、あるいはステアラーＳＴＡＲ、ジクミルジフェニルアミンに代表されるアミン系酸化防止剤と比較し極めて少なく、ゆえに色相安定性の高い潤滑油が求められる分野において優れた効果が期待できる。
【産業上の利用可能性】
【００２９】
本発明に係るヒドラジン誘導体を添加した潤滑油は、安定性効果において、ＢＨＴと比較して、少量で十分な効果を示し、また、揮発性も実質的にないことから、安定化された潤滑油組成物用の添加物として産業上有用であり、このヒドラジン誘導体を使用した本発明に係る潤滑剤組成物は、産業上各種の利点をもたらす製品であるといえる。また、ＢＨＴと共に広く使用されている、アミン系酸化防止剤の場合と比較した場合には、高い色相安定性が期待でき、着色化した潤滑油の使用が好まれない用途での使用が大いに期待される。